(57)【特許請求の範囲】
【請求項１】
流水式電解槽の内部に隔膜によって区画形成した一対の電極室に処理水を供給する給水管の中間に位置する分岐部に設けた一対の分岐支管を接続し、前記一対の電極室の各導出口に各電解室にて生成された電解水を注出部に導出する一対の導出管を接続した電解水生成装置において、前記各分岐支管の管路長、管路断面積及び管路方向を略等しくすると共に前記各導出管の管路長、管路断面積及び管路方向を略等しくして、前記給水管の分岐部から前記各電極室に至る各管路抵抗を略等しくすると共に前記各電極室から前記注出部に至る各管路抵抗を略等しく調整したことを特徴とする電解水生成装置。
【発明の詳細な説明】
【０００１】
【発明の属する技術分野】
本発明は、水道水等の処理水を電気分解して電解水（アルカリ性水と酸性水）を生成する電解水生成装置に関する。
【０００２】
【従来の技術】
電解水生成装置の一形式として、隔膜にて区画される一対の電極室にそれぞれ電極を備える流水式の電解槽と、中間部に分岐部を有して各分岐支管にて前記各電極室にそれぞれ接続されて同電極室に処理水をそれぞれ供給する供給管と、前記各電極室にて前記処理水が電気分解されて生成されるアルカリ性水と酸性水をそれぞれ注出部に導く一対の導出管とを備えたものがあり、例えば特開平１０−２８９７０号公報にて示されている。
【０００３】
【発明が解決しようとする課題】
上記した公報の電解水生成装置においては、供給管の分岐部から各注出部までの各管路抵抗を略等しくする配慮がなされておらず、電解槽の各電極室での水流・水圧に差が生じることがあり、これに起因して隔膜が低圧側の電極室に向けて変位することがある。かかる場合には、所期のアルカリ性水及び酸性水が安定して得られないばかりか、隔膜が電極室内の電極に接触して損傷を受けるおそれがある。
【０００４】
【課題を解決するための手段】
本発明は、上記の問題に対処するため、流水式電解槽の内部に隔膜によって区画形成した一対の電極室に処理水を供給する給水管の中間に位置する分岐部に設けた一対の分岐支管を接続し、前記一対の電極室の各導出口に各電解室にて生成された電解水を注出部に導出する一対の導出管を接続した電解水生成装置において、前記各分岐支管の管路長、管路断面積及び管路方向を略等しくすると共に前記各導出管の管路長、管路断面積及び管路方向を略等しくして、前記給水管の分岐部から前記各電極室に至る各管路抵抗を略等しくすると共に前記各電極室から前記注出部に至る各管路抵抗を略等しく調整したことを特徴とする電解水生成装置を提供するものである。
【０００５】
【発明の作用・効果】
上記のように構成した本発明による電解水生成装置においては、処理水を供給する給水管の分岐部から各電極室までの各管路抵抗が略等しくなるとともに、各電極室から各注出部までの各管路抵抗が略等しくなるように調整したため、給水管の各分岐支管を通して各電極室に処理水を供給したときの各電極室での水流・水圧に差が生じず、この水流・水圧の差に起因する隔膜の変位を防止することができる。したがって、所期のアルカリ性水及び酸性水が安定して得られるとともに、隔膜の電極への接触を抑制して隔膜の電極による損傷を抑制することができる。また、本発明はその実施にあたって、上記各管路抵抗の調整手段として前記各分岐支管の管路長、管路断面積及び管路方向を略等しくすると共に前記各導出管の管路長、管路断面積及び管路方向を略等しくしたことにより、基本構成である管路自体で上記の各管路抵抗を調整できて、流量調整弁等を採用して調整する場合に比してコンパクトかつ安価に実施することができる。
【０００６】
【発明の実施の形態】
以下に、本発明の一実施形態を図面に基づいて説明する。図１に示した本発明による電解水生成装置は、流水式の電解槽１０と、中間部に分岐部Ａを有する供給管２０と、一対の排出管３１，３２及び注出管３３，３４からなる導出管３０と、各排出管３１，３２と各注出管３３，３４の連通を切り換える流路切換弁５０とを備えている。
【０００７】
電解槽１０は、隔膜１１にて区画される一対の電極室１２，１３にそれぞれ電極１４，１５を備えたそれ自体周知の流水式電解槽であって、隔膜１１すなわち中心線Ｌに対して左右対称の構成であり、両電極１４，１５間への正電圧印加または逆電圧印加及び各印加状態での直流電源（図示省略）からの通電を制御装置（図示省略）によって制御されるようになっている。また電解槽１０は、隔膜１１を挟んで対向配置した導入口１６，１７及び導出口１８，１９を有しており、各導入口１６，１７には供給管２０の分岐支管２１，２２が接続され、また各導出口１８，１９には各排出管３１，３２が接続されている。
【０００８】
供給管２０は、各電極室１２，１３に処理水をそれぞれ供給するためのものであり、分岐部Ａより下流側の分岐支管２１，２２と、分岐部Ａより上流側の基管２３によって構成されていて、基管２３には減圧弁６１と開閉操作可能な元栓６２が介装されており、基管２３にて水道管（図示省略）に接続されるようになっている。
【０００９】
導出管３０は、各電極室１２，１３にて生成されるアルカリ性水と酸性水を各注出部すなわち各注出管３３，３４の注出口３３ａ，３４ａ（図示省略のシンク等アルカリ性水及び酸性水の使用箇所に配設されている）に導くためのものであり、電解槽１０の各導出口１８，１９に接続されるとともに流路切換弁５０の各流入口５１，５２に接続される各排出管３１，３２と、流路切換弁５０の各流出口５３，５４に接続される各注出管３３，３４によって構成されている。
【００１０】
流路切換弁５０は、電気モータ（図示省略）によって駆動されて第１位置（図１の実線にて示した状態）または第２位置（図１の仮想線にて示した状態）に切換えられて各排出管３１，３２と各注出管３３，３４の連通接続を切り換える４ポート２位置切換弁であって、各流入口５１，５２から各流出口５３，５４に至る通路抵抗が略等しい構成であり、電気モータによる切換作動は制御装置によって制御されるようになっている。なお、流路切換弁５０の切換位置は位置検出センサ（図示省略）によって検出されるようになっていて、その検出信号は制御装置に入力されるようになっている。
【００１１】
ところで、本実施形態においては、供給管２０の分岐部Ａから各電極室１２，１３までの各管路抵抗が略等しくなるとともに、各電極室１２，１３から各注出口３３ａ，３４ａまでの各管路抵抗が略等しくなるように調整してある。供給管２０の分岐部Ａから各電極室１２，１３までの各管路抵抗は、各分岐支管２１，２２の管路長、管路断面積及び管路方向（これは管路配置ともいえる）を略等しくすることによって、略等しくなるように調整されている。また、各電極室１２，１３から流路切換弁５０の各流入口５１，５２までの各管路抵抗は、各排出管３１，３２の管路長、管路断面積及び管路方向を略等しくすることによって、略等しくなるように調整されている。また、流路切換弁５０の各流出口５３，５４から各注出口３３ａ，３４ａまでの各管路抵抗は、各注出管３３，３４の管路方向が異なっているため、管路長のみを異にすること（管路長と管路断面積の少なくとも一方を異にすることでも実施可能）によって、略等しくなるように調整されている。
【００１２】
上記した本実施形態の電解水生成装置においては、供給管２０の分岐部Ａから各電極室１２，１３までの各管路抵抗が略等しくなるとともに、各電極室１２，１３から各注出口３３ａ，３４ａまでの各管路抵抗が略等しくなるように調整されているため、供給管２０の各分岐支管２１，２２を通して各電極室１２，１３に処理水を供給したときの各電極室１２，１３での水流・水圧に差が生じず、この水流・水圧の差に起因する隔膜１１の変位を防止することができる。したがって、所期のアルカリ性水及び酸性水が安定して得られるとともに、隔膜１１の電極１４または１５への接触を抑制して隔膜１１の電極１４または１５による損傷を抑制することができる。また、本実施形態においては、上述した各管路抵抗の調整手段として管路長、管路断面積、管路方向を採用したため、基本構成である管路自体で調整できて、流量調整弁等を採用して調整する場合に比してコンパクトかつ安価に実施することができる。
【００１３】
上記実施形態においては、一対の排出管３１，３２及び注出管３３，３４によってアルカリ性水と酸性水をそれぞれ注出口３３ａ，３４ａに導く導出管３０を構成するとともに、各排出管３１，３２と各注出管３３，３４の連通を流路切換弁５０によって切り換える構成を採用した電解水生成装置に本発明を実施したが、流路切換弁５０が採用されなくて各排出管３１，３２と各注出管３３，３４が一体的に構成される電解水生成装置にも本発明は同様にまたは適宜変更して実施し得るものであり、上記実施形態に限定されないものである。
【図面の簡単な説明】
【図１】本発明による電解水生成装置の一実施形態を概略的に示す全体構成図である。
【符号の説明】
１０…電解槽、１１…隔膜、１２，１３…電極室、１４，１５…電極、２０…供給管、Ａ…分岐部、２１，２２…分岐支管、２３…基管、３０…導出管、３１，３２…排出管、３３，３４…注出管、３３ａ，３４ａ…注出口（注出部）、５０…流路切換弁。
【図１】
0003548687.tif 000002